(57)【要約】【課題】良好な光学特性が得られるレンズ鏡筒及び光学機器を提供する。【解決手段】本発明のレンズ鏡筒は、光学系を保持する第１保持枠４０と、第１保持枠４０を支持する第２保持枠５０と、光学系の光軸と交差する方向でみて第１保持枠と第２保持枠との間に備えられ、弾性を有する弾性体６１Ｓと、光軸と交差する方向でみて弾性体との間で第１保持枠を挟むように備えられ、弾性体に弾性力が生じるように第１保持枠を弾性体に向けて位置決め可能である位置決め部６１Ａと、光軸と交差する方向でみて位置決め部との間で第１保持枠を挟むように備えられ、第１保持枠が固定するように第１保持枠を位置決め部に向けて固定可能である固定部６１Ｂと、位置決め部による第１保持枠の位置決め方向、及び、固定部による第１保持枠の固定方向と交差する方向に、第１保持枠を付勢する付勢部材６２Ｂとを含むこと、を特徴とする。【選択図】図１
2011022461.tif 000002
【特許請求の範囲】
【請求項１】
光学系を保持する第１保持枠と、
前記第１保持枠を支持する第２保持枠と、
前記光学系の光軸と交差する方向でみて前記第１保持枠と前記第２保持枠との間に備えられ、弾性を有する弾性体と、
前記光軸と交差する方向でみて前記弾性体との間で前記第１保持枠を挟むように備えられ、前記弾性体に弾性力が生じるように前記第１保持枠を前記弾性体に向けて位置決め可能である位置決め部と、
前記光軸と交差する方向でみて前記位置決め部との間で前記第１保持枠を挟むように備えられ、前記第１保持枠が固定するように前記第１保持枠を前記位置決め部に向けて固定可能である固定部と、
前記位置決め部による前記第１保持枠の位置決め方向、及び、前記固定部による前記第１保持枠の固定方向と交差する方向に、前記第１保持枠を付勢する付勢部材とを含むこと、
を特徴とする光学装置。
【請求項２】
請求項１に記載された光学装置であって、
前記位置決め部による前記第１保持枠の位置決め方向、及び、前記固定部による前記第１保持枠の固定方向と交差する方向において、前記第１保持枠との間に前記付勢部材を挟むように備えられ、前記付勢部材の前記付勢力を調節する付勢力調節部を有すること、
を特徴とする光学装置。
【請求項３】
請求項２に記載された光学装置であって、
前記位置決め部による前記第１保持枠の位置決め方向、及び、前記固定部による前記第１保持枠の固定方向と交差する方向は、前記光学系の光軸と略平行な方向であること、
を特徴とする光学装置。
【請求項４】
請求項３に記載された光学装置であって、
前記付勢力調節部は、前記光軸と略平行な方向に沿って進退可能なネジであること、
を特徴とする光学装置。
【請求項５】
請求項１から４までの何れか１項に記載された光学装置であって、
前記位置決め部は前記第１保持枠の外周に沿って２つ設けられ、該２つの位置決め部は、それぞれ光軸からの径方向に進退可能で、該進退方向は互いに直交していること、
を特徴とする光学装置。
【請求項６】
請求項５に記載された光学装置であって、
前記弾性体は、前記位置決め部と前記光軸を挟んで対向する側に、前記位置決め部のそれぞれに対応して２つ設けられ、
前記固定部は、前記２つの弾性体の間であって、前記２つの位置決め部のそれぞれと光軸を挟んで対向する側に配置されていること、
を特徴とする光学装置。
【請求項７】
光学系を保持する第１保持枠と、
前記第１保持枠を支持する第２保持枠と、
前記光学系の光軸と交差する方向でみて前記第１保持枠と前記第２保持枠との間に備えられ弾性を有する第１弾性体と、
前記光軸と交差する方向でみて前記第１弾性体との間で前記第１保持枠を挟むように備えられ、前記光軸と交差する方向にネジ締めされる第１ネジ部材と、
前記光軸と交差する方向でみて前記第１ネジ部材との間で前記第１保持枠を挟むように備えられ、前記光軸と交差する方向にネジ締めされる第２ネジ部材と、
前記第１ネジ部材のネジ締め方向、及び、前記第２ネジ部材のネジ締め方向と交差する方向に、前記第１保持枠に弾性力を与える第２弾性体とを含むこと、
を特徴とする光学装置。
【請求項８】
請求項７に記載された光学装置であって、
前記第１ネジ部材のネジ締め方向、及び、前記第２ネジ部材のネジ締め方向と交差する方向において、前記第１保持枠との間に前記第２弾性体を挟むように備えられ、前記第２弾性体の前記弾性力を調節する第３ネジ部材を有すること
を特徴とする光学装置。
【請求項９】
請求項１から請求項８までの何れか１項に記載された光学装置を含む光学機器。
【発明の詳細な説明】
【技術分野】
【０００１】
本発明は、光学装置及び光学機器に関するものである。
【背景技術】
【０００２】
従来、レンズ鏡筒に備えられたレンズの光軸の位置を調整する方法として、レンズ保持枠の外周面に当接した複数の調整ネジをレンズの径方向に進退させて、レンズ保持枠をレンズの径方向へ変位させる方法が知られている（例えば、特許文献１参照）。
【先行技術文献】
【特許文献】
【０００３】
【特許文献１】特開２００４−１０９７１０号公報
【発明の概要】
【発明が解決しようとする課題】
【０００４】
本発明の課題は、良好な光学特性が得られる光学装置及び光学機器を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、光学系を保持する第１保持枠（４０）と、前記第１保持枠（４０）を支持する第２保持枠（５０）と、前記光学系の光軸と交差する方向でみて前記第１保持枠（４０）と前記第２保持枠（５０）との間に備えられ、弾性を有する弾性体（６１Ｓ）と、前記光軸と交差する方向でみて前記弾性体（６１Ｓ）との間で前記第１保持枠（４０）を挟むように備えられ、前記弾性体（６１Ｓ）に弾性力が生じるように前記第１保持枠（４０）を前記弾性体（６１Ｓ）に向けて位置決め可能である位置決め部（６１Ａ）と、前記光軸と交差する方向でみて前記位置決め部（６１Ａ）との間で前記第１保持枠（４０）を挟むように備えられ、前記第１保持枠（４０）が固定するように前記第１保持枠（４０）を前記位置決め部（６１Ａ）に向けて固定可能である固定部（６１Ｂ）と、前記位置決め部（６１Ａ）による前記第１保持枠（４０）の位置決め方向、及び、前記固定部（６１Ｂ）による前記第１保持枠（４０）の固定方向と交差する方向に、前記第１保持枠（４０）を付勢する付勢部材（６２Ｂ）とを含むこと、を特徴とする光学装置（１）である。
請求項２に記載の発明は、請求項１に記載された光学装置（１）であって、前記位置決め部（６１Ａ）による第１保持枠（４０）の位置決め方向、及び、前記固定部（６１Ｂ）による前記第１保持枠の固定方向と交差する方向において、前記第１保持枠との間に前記付勢部材（６２Ｂ）を挟むように備えられ、前記付勢部材（６２Ｂ）の前記付勢力を調節する付勢力調節部（６２Ａ）を有すること、を特徴とする光学装置（１）である。
請求項３に記載の発明は、請求項２に記載された光学装置（１）であって、前記位置決め部（６１Ａ）による前記第１保持枠（４０）の位置決め方向、及び前記固定部位（６１Ｂ）による前記第１保持枠（４０）の固定方向と交差する方向は、前記光学系の光軸と略平行な方向であること、を特徴とする光学装置（１）である。
請求項４に記載の発明は、請求項３に記載された光学装置（１）であって、前記付勢力調節部は、前記光軸と略平行な方向に沿って進退可能なネジ（６２Ａ）であることを特徴とする光学装置（１）である。
請求項５に記載の発明は、請求項１から４までの何れか１項に記載された光学装置（１）であって、前記位置決め部（６１Ａ）材は前記第１保持枠（４０）の外周に沿って２つ設けられ、該２つの位置決め部（６１Ａ）材は、それぞれ光軸からの径方向に進退可能で、該進退方向は互いに直交していること、を特徴とする光学装置である。
請求項６に記載の発明は、請求項５に記載された光学装置（１）であって、前記弾性体（６１Ｓ）は、前記位置決め部（６１Ａ）と前記光軸を挟んで対向する側に、前記位置決め部（６１Ａ）のそれぞれに対応して２つ設けられ、前記固定部（６１Ｂ）は、前記２つの弾性体（６１Ｓ）の間であって、前記２つの位置決め部（６１Ａ）のそれぞれと光軸を挟んで対向する側に配置されていること、を特徴とする光学装置（１）である。
請求項７に記載の発明は、光学系を保持する第１保持枠（４０）と、前記第１保持枠（４０）を支持する第２保持枠（５０）と、前記光学系の光軸と交差する方向でみて前記第１保持枠（４０）と前記第２保持枠（５０）との間に備えられ弾性を有する第１弾性体（６１Ｓ）と、前記光軸と交差する方向でみて前記第１弾性体（６１Ｓ）との間で前記第１保持枠（４０）を挟むように備えられ、前記光軸と交差する方向にネジ締めされる第１ネジ部材（６１Ａ）と、前記光軸と交差する方向でみて前記第１ネジ部材との間で前記第１保持枠（４０）を挟むように備えられ、前記光軸と交差する方向にネジ締めされる第２ネジ部材と、前記第１ネジ部材のネジ締め方向、及び、前記第２ネジ部材のネジ締め方向と交差する方向に、前記第１保持枠（４０）に弾性力を与える第２弾性体（６２Ｂ）とを含むこと、を特徴とする光学装置（１）である。
請求項８に記載の発明は、請求項７に記載された光学装置（１）であって、前記第１ネジ部材のネジ締め方向、及び、前記第２ネジ部材のネジ締め方向と交差する方向において、前記第１保持枠（４０）との間に前記第２弾性体（６２Ｂ）を挟むように備えられ、前記第２弾性体（６２Ｂ）の前記弾性力を調節する第３ネジ部材（６２Ａ）を有すること、を特徴とする光学装置（１）である。
請求項９に記載の発明は、請求項１から請求項８までの何れか１項に記載された光学装置（１）を含む光学機器である。
なお、符号を付して説明した構成は、適宜改良してもよく、また、少なくとも一部を他の構成物に代替してもよい。
【発明の効果】
【０００７】
本発明によれば、良好な光学特性が得られる光学装置及び光学機器を提供することができる。
【図面の簡単な説明】
【０００８】
【図１】本発明の一実施形態であるレンズ鏡筒１における光軸ＯＡを含む縦断面図である。
【図２】図１のＡ−Ａ断面に相当するレンズ鏡筒１における光軸ＯＡと直交する横断面図である。
【図３】図２を簡略化した図である。
【図４】図２のＢ−Ｂ断面図である。
【図５】図２のＣ−Ｃ断面図である。
【図６】図２のＤ−Ｄ断面図である。
【発明を実施するための形態】
【０００９】
以下、図面等を参照して、本発明の実施形態について説明する。
図１は、本発明の一実施形態であるレンズ鏡筒１における光軸ＯＡを含む縦断面図である。図２は、図１のＡ−Ａ断面に相当するレンズ鏡筒１における光軸ＯＡと直交する横断面図である。図３は図２を簡略化した図である。図４は、図２のＢ−Ｂ断面図である。図５は、図２のＣ−Ｃ断面図である。図６は、図２のＤ−Ｄ断面図である。
【００１０】
なお、各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。このＺ方向の被写体に向かうＺプラス方向を前面側、Ｚマイナス方向を背面側ともいう。
【００１１】
図１に示すように、レンズ鏡筒１は、固定筒１０と、固定筒１０の内周側に配設されたカム筒２０と、を備えている。
固定筒１０の外周側には、当該レンズ鏡筒１の外面を形成する外筒３０と、ズーム操作環３１と、フォーカス操作環３２とが、配設されている。
また、カム筒２０の内部には、４群のレンズ群（第１レンズ群Ｌ１，第２レンズ群Ｌ２，第３レンズ群Ｌ３，第４レンズ群Ｌ４）が配設されている。
【００１２】
固定筒１０は、略円筒状であって、その基端部（後方側の端）に、マウント環１Ｍが固定されている。マウント環１Ｍは、図示しないカメラボディの備えるボディ側のマウント環と係脱可能に結合可能であり、このマウント環１Ｍがボディマウント環に結合することで、レンズ鏡筒１がカメラボディに装着されるようになっている。
【００１３】
カム筒２０は、略円筒状であって、固定筒１０の内周に同芯状に嵌合し、固定筒１０に対して回転可能に設けられている。カム筒２０は、ズーム操作環３１およびフォーカス操作環３２と、図示しない連動機構を介して連結されており、これらの回転操作に連動して光軸ＯＡを中心として回転し、また光軸ＯＡ方向に移動するようになっている。
ズーム操作環３１は外筒３０の外周面側における被写体側に、回転自在に設けられている。フォーカス操作環３２は、外筒３０の外周面側における像側に、回転自在に設けられている。
【００１４】
カム筒２０の内部に配設された４群のレンズ群（第１レンズ群Ｌ１，第２レンズ群Ｌ２，第３レンズ群Ｌ３，第４レンズ群Ｌ４）は、詳細は示さないが、それぞれレンズ保持枠４０に支持されており、レンズ保持枠４０を介してカム筒２０の内周に、光軸ＯＡ方向に移動可能として設けられている。各レンズ群Ｌ１〜Ｌ４は、ズーム操作環３１およびフォーカス操作環３２の回転に連動して、光軸ＯＡに沿って所定の関係で前後移動するようになっている。
【００１５】
すなわち、各レンズ群Ｌ１〜Ｌ４のレンズ保持枠４０に径方向外周側にそれぞれ突設されたカムピンが、カム筒２０に形成されたカム溝を貫通し、固定筒１０に形成された直進溝に嵌合している。カム筒２０のカム溝は、周方向において光軸ＯＡ方向に所定の関係で変位しており、一方、固定筒１０の直進溝は、光軸ＯＡと平行に形成されている。これにより、カム筒２０の回転に連動して、各レンズ群Ｌ１〜Ｌ４が、それぞれ所定の関係で光軸方向に移動するようになっている。
【００１６】
ここで、第４レンズ群Ｌ４は、光軸ＯＡと直交する方向における位置を調整可能に構成されている。これによって、レンズを組み立てる際に部品の寸法公差の集積等に起因する光軸のズレを最終的に調整（光軸調整）し、光学性能を保つようになっている。
【００１７】
つぎに、この第４レンズ群Ｌ４における光軸調整構造を含む支持構成について詳細に説明する。
第４レンズ群Ｌ４は、レンズ保持枠４０に保持されており、このレンズ保持枠４０の外周側（カム筒２０との間）に位置する連結部材５０を介してカム筒２０の内部に支持されている。レンズ保持枠４０は、光軸ＯＡと直交する方向における位置調整を可能とする調整固定機構６０を介して連結部材５０に結合されている。
【００１８】
レンズ保持枠４０は、レンズ群Ｌ４を保持するレンズ室４１と、レンズ室４１を外周側で保持するレンズ室保持枠４２と、によって構成されている。
レンズ室４１は、概略形状が円筒状であって、その内部にレンズ群Ｌ４を構成する複数のレンズを所定の位置関係で保持している。レンズ室４１の前面側の外周には、外周ネジが形成されている。
【００１９】
レンズ室保持枠４２は、円筒状で、内周にはレンズ室４１の外周ネジと螺合するメネジが形成されている。レンズ室保持枠４２の外周には、固定突起４２Ａが径方向外側に向けて突設されている。
【００２０】
図４に示すように、固定突起４２Ａは、両面が光軸ＯＡと直交する所定厚さの板状であって、図２に示すように周方向に所定角度間隔で３カ所設けられている。固定突起４２Ａには、装着孔４２Ｂが貫通形成されている。装着孔４２Ｂは、光軸ＯＡと平行に形成されている。また、装着孔４２Ｂの径は、調整固定機構６０における固定ビス６２Ａの外径に所定の調整代を加えた大きさに設定されている。
そして、レンズ室保持枠４２とレンズ室４１とは、レンズ室保持枠４２の内周メネジにレンズ室４１が外周ネジで螺合し、これによって一体化してレンズ保持枠４０を構成している。
【００２１】
レンズ保持枠４０は、連結部材５０の背面側に位置し、レンズ室保持枠４２の固定突起４２Ａを背面側から前面側に向けて貫通した固定ビス６２Ａによって、連結部材５０に固定されている。固定ビス６２Ａは、後述する調整固定機構６０における固定部６２を構成している。
【００２２】
連結部材５０は、その基本的な形態は所定肉厚の円環状であるが、他の構成部材との取り合い関係でその一部角度範囲が切り欠かれて薄肉とされ、また、一部角度領域は背面側に所定量突出して幅広となっている。
図４に示すように、連結部材５０の外周には、円筒状のカムピン５１が当該連結部材５０の径方向外周側に向けて突設されている。カムピン５１は、カム筒２０に形成された図示しないカム溝に摺動移動可能に嵌合し、さらに突出する先端が固定筒１０に形成された図示しない進溝に摺動移動可能に嵌合している。これにより、連結部材５０は、カム筒２０の回転によって、固定筒１０の直進溝に移動方向が規定され、カム溝の変位に従って光軸ＯＡ方向に移動駆動されるようになっている。
【００２３】
連結部材５０の、レンズ室保持枠４２における固定突起４２Ａと対応する位置には、それぞれ光軸ＯＡと直交する固定座面５０Ａが形成され、各固定座面５０Ａにはそれぞれ固定メネジ５０Ｂが設けられている。固定メネジ５０Ｂは、固定座面５０Ａと直交して（すなわち光軸ＯＡと平行に）形成されている。
【００２４】
図２，図３で示すように、レンズ保持枠４０を連結部材５０に位置調整可能に結合する調整固定機構６０は、連結部材５０に設けられた調整部６１と、固定部６２と、により構成されている。
はじめに、調整部６１について説明する。
調整部６１は、連結部材５０を径方向に貫通して螺合配置された２本の調整ネジ６１Ａ（６１Ａｘ，６１Ａｙ）および一本の固定ネジ６１Ｂと、２組の押圧スプリング６１Ｓ（６１Ｓｘ，６１Ｓｙ）とにより構成されている。
図５，図３に示すように、調整ネジ６１Ａｘ，６１Ａｙおよび固定ネジ６１Ｂは、すりわり付き止めネジであって、連結部材５０を径方向に貫通して配置されている。
【００２５】
図２，図３に示すように、２本の調整ネジ６１Ａｘ，６１Ａｙの周方向における配設位置は、９０°間隔に設定されている。
すなわち、一方の調整ネジ６１Ａｘは、図中プラス側のＸ軸近傍に、他方の調整ネジ６１Ａｙは、図中マイナス側のＹ軸の近傍に配設されている。
また、固定ネジ６１Ｂは、２本の調整ネジ６１Ａｘ，６１Ａｙの中心線が成す角θ（＝９０°）の、光軸ＯＡを挟んで対向する対向角度領域θ′に配設されている。本実施形態では、固定ネジ６１Ｂは、対向角度領域θ′の略中央（すなわち何れの調整ネジ６１Ａからも周方向に１３５°離れた位置）に配設されている。
【００２６】
調整ネジ６１Ａおよび固定ネジ６１Ｂは、連結部材５０の外周側からドライバー等の調整工具によって回転操作されることで径方向に進退し、その先端が連結部材５０の内周面から突出し得るようになっている。連結部材５０の内周面から突出する調整ネジ６１Ａおよび固定ネジ６１Ｂの先端は、レンズ保持枠４０（レンズ室保持枠４２）を押圧する。
【００２７】
なお、カム筒２０および固定筒１０、さらにその外周側に位置する部材（外筒３０、ズーム操作環３１、フォーカス操作環３２等）における、調整ネジ６１Ａおよび固定ネジ６１Ｂの配設位置と対応する位置には、外周側から調整工具を挿入可能な調整孔が開口形成されている。調整孔の光軸ＯＡ方向における位置は、光軸ＯＡ方向に移動するレンズ保持枠４０を、光軸調整を何処に位置させて行うかによって決まるが、外装にゴムリング等が装着されるズーム操作環３１やフォーカス操作環３２の位置に設定すれば、ゴムリング等の装着によって、調整孔を目隠しすることができるため、より好ましい。
このように、外周側から調整工具を挿入可能な調整孔を開口形成することで、レンズ鏡筒１におけるレンズ組立工程の最終段階で光軸調整作業を行うことができ、作業工程を削減できる。
【００２８】
一方、レンズ保持枠４０におけるレンズ室保持枠４２には、連結部材５０における調整ネジ６１Ａおよび固定ネジ６１Ｂと対応する位置に、被押圧部４３が形成されている。連結部材５０の内周側に突出する調整ネジ６１Ａおよび固定ネジ６１Ｂは、この被押圧部４３を押圧するようになっている。
【００２９】
図５に示すように、被押圧部４３は、レンズ室保持枠４２に形成された前面側が大径化する方向の傾斜面４３Ａと、その傾斜面４３Ａの外周側に配設された当て板４３Ｂとによって構成されている。
当て板４３Ｂは、連結部材５０より硬質で耐摩耗性の高い素材によって形成された、所定厚さの板である。
これにより、調整ネジ６１Ａおよび固定ネジ６１Ｂの先端は、当て板４３Ｂを介して傾斜面４３Ａ（すなわちレンズ室保持枠４２＝レンズ保持枠４０）を押圧するようになっている。
【００３０】
押圧スプリング６１Ｓは、所定径で所定長さのコイルスプリングであって、図６に示すように、連結部材５０を径方向に貫通して、プラグ６１Ｐによって径方向の位置が規定されて連結部材５０に装着されている。押圧スプリング６１Ｓは、連結部材５０の内周側に突出し、その弾性復帰力でレンズ保持枠４０におけるレンズ室保持枠４２の対応する外周面を押圧付勢している。
【００３１】
押圧スプリング６１Ｓの周方向における位置は、図２に示すように、光軸ＯＡを挟んで調整ネジ６１Ａと略対向する位置（周方向に略１８０°の位置）に設定されている。すなわち、一方の押圧スプリング６１Ｓｘは、図２中マイナス側のＸ軸近傍に、他方の押圧スプリング６１Ｓｙは、図中プラス側のＹ軸の近傍に配設されている。
【００３２】
これにより、押圧スプリング６１Ｓｘはレンズ保持枠４０を調整ネジ６１Ａｘに向けて押圧付勢し、押圧スプリング６１Ｓｙはレンズ保持枠４０を調整ネジ６１Ａｙに向けて押圧付勢するようになっている。このため、押圧スプリング６１Ｓは効率の良くレンズ保持枠４０を調整ネジ６１Ａに押圧付勢することができ、また、調整ネジ６１Ａによってレンズ保持枠４０が押圧された際に円滑な変位を可能としている。
【００３３】
すなわち、調整ネジ６１Ａは、押圧スプリング６１Ｓとの間にレンズ保持枠４０を挟むように備えられている。ここで、「挟むように備えられ」どは、レンズ保持枠４０を挟んで押圧スプリング６１Ｓと対向するものに限定されない。調整ネジ６１Ａは、例えば、押圧スプリング６１Ｓに弾性力が生じるようにレンズ保持枠４０を押圧スプリング６１Ｓに向けて位置決め可能な任意の位置に備えることが可能である。そして、押圧スプリング６１Ｓは、光軸ＯＡを挟んで調整ネジ６１Ａと対向する（調整ネジ６１Ａと光軸ＯＡとを結ぶ線の延長線上）に正確に位置しなければならないものではなく、多少ずれていても構わない。
【００３４】
また、固定部６１Ｂは、レンズ保持枠４０との間に位置決め部６１Ａを挟むように備えられている。ここで、「挟むように備えられ」とは、レンズ保持枠４０を挟んで位置決め部６１Ａと対向するものに限定されない。固定部６１Ｂは、例えば、レンズ保持枠４０が固定するようにレンズ保持枠４０を位置決め部６１Ａに向けて固定可能な任意の位置に備えることが可能である。
【００３５】
上記のように構成された調整部６１において初期状態では、レンズ保持枠４０は押圧スプリング６１Ｓの付勢力によって連結部材５０の内部に保持されている。
この状態で、調整ネジ６１Ａを螺進させて連結部材５０の内周側に突出させることで、レンズ保持枠４０を押圧スプリング６１Ｓの付勢力に抗して移動操作することができる。調整ネジ６１Ａは、９０°間隔で２本配設されている（調整ネジ６１Ａｘ，６１Ａｙ）ため、それぞれを適宜調整することで、レンズ保持枠４０を光軸ＯＡと直交する面（Ｘ−Ｙ平面）内において任意の位置に容易に移動させることができる。このように、本構成では一つの調整ネジ６１Ａの操作によってレンズ保持枠４０は一方方向にのみに操作量に応じて移動するため、極めて作業性が良い。
【００３６】
なお、図２では、図上におけるＸ軸およびＹ軸と、調整ネジ６１Ａｘ，６１Ａｙの軸線とは一致していない。しかし、直交する２方向の移動によってＸ−Ｙ平面内の任意の位置に移動させることには変わりない。調整ネジ６１Ａｘ，６１Ａｙの軸線が調整装置又は冶具におけるＸ軸およびＹ軸と一致するようにレンズ鏡筒１を支持して、調整作業を行えば良い。
【００３７】
このように、レンズ保持枠４０が保持する第４レンズ群４ＬをＸ−Ｙ平面内で移動させて、第４レンズ群４Ｌの光軸をレンズ鏡筒１における光軸ＯＡに一致させる光軸調整を行うことができる。
この光軸調整時におけるレンズ保持枠４０の移動は、調整ネジ６１Ａによる押圧操作方向前方に配置された押圧スプリング６１Ｓの付勢力に抗して行われるため、レンズ保持枠４０が光ＯＡと直交する方向にガタ付くことなく安定して行うことができる。位置調整終了後は、固定ネジ６１Ｂを締め込んでレンズ保持枠４０を調整ネジ６１Ａｘ，６１Ａｙに向けて押し付ける。これにより、レンズ保持枠４０を光軸ＯＡと直交する面内において移動不能に固定することができる。
【００３８】
ここで、調整ネジ６１Ａおよび固定ネジ６１Ｂの先端が、レンズ保持枠４０を押圧する際において、調整ネジ６１Ａおよび固定ネジ６１Ｂの先端はレンズ室保持枠４２における被押圧部４３に当接する。被押圧部４３は、前面側が大径化する方向の傾斜面４３Ａとなっている。このため、調整ネジ６１Ａおよび固定ネジ６１Ｂによる径方向の押圧力の分力が、レンズ保持枠４０をその前面側に位置する連結部材５０側に付勢する（レンズ室保持枠４２の固定突起４２Ａを固定座面５０Ａに密着させる）方向に作用する。これにより、押圧作用時におけるレンズ保持枠４０の光軸ＯＡ方向におけるガタ付き（連結部材５０に対する倒れ）を抑制できる。また、傾斜面４３Ａと調整ネジ６１Ａおよび固定ネジ６１Ｂの先端との間には、硬質で耐摩耗性の高い素材によって形成された当て板４３Ｂが配置されている。これにより、調整ネジ６１Ａおよび固定ネジ６１Ｂの先端によってレンズ室保持枠４２の当該部位（傾斜面４３Ａ）が削れてしまうことに起因する精度劣化や緩みを防止できる。
【００３９】
つぎに、図４に示す固定部６２について説明する。
固定部６２は、前述したように、レンズ保持枠４０を連結部材５０に固定する固定ビス６２Ａによって構成されている。固定ビス６２Ａは、レンズ保持枠４０における固定突起４２Ａをそれぞれ連結部材５０に固定するように設けられている。つまり、固定ビス６２Ａは、周方向に３カ所設けられている。ここで、レンズ保持枠４０における固定突起４２Ａの周方向における位置（すなわち固定ビス６２Ａの周方向における位置）は、周方向等間隔（１２０°間隔）に設定されることが好ましい。なお、各固定突起４２Ａ（固定ビス６２Ａ）は、レンズ保持枠４０を連結部材５０に安定して固定するために、調整部６１における調整ネジ６１Ａおよび固定ネジ６１Ｂの間に配設してもよい。
【００４０】
固定ビス６２Ａは、大径の頭部を有するたとえばなべ小ねじである。固定ビス６２Ａは、レンズ保持枠４０における固定突起４２Ａの装着孔４２Ｂに背面側から挿通されて固定突起４２Ａを貫通し、連結部材５０における固定メネジ５０Ｂに螺合している。固定ビス６２Ａの中心軸は、光軸ＯＡと平行となっている。
【００４１】
固定ビス６２Ａの頭部と固定突起４２Ａとの間には、バネ座金６２Ｂと、平座金６２Ｃとが介装されている。
バネ座金６２Ｂは、スリットによって分断された円環を中心軸方向にねじった形状であって、元の円環状態に戻すように中心軸方向に圧縮変形させると弾性復帰力を生ずるように形成されている。
【００４２】
平座金６２Ｃは、所定厚さの円環状で、外径はバネ座金６２Ｂより大きい。平座金６２Ｃは、バネ座金６２Ｂと固定突起４２Ａとの間に配置されている。この平座金６２Ｃは、バネ座金６２Ｂが直接固定突起４２Ａに当接することによる固定ビス６２Ａの締め込み時における動きづらさを解消すると共に摩耗粉等の発生を防ぐために設けられる。
【００４３】
そして、固定部６２は、固定ビス６２Ａを連結部材５０における固定メネジ５０Ｂに締め込んで、固定突起４２Ａを連結部材５０の固定座面５０Ａに密着させることで、レンズ保持枠４０を連結部材５０に固定する。この状態では、バネ座金６２Ｂは平坦に変形し、その弾性復帰力で固定ビス６２Ａの緩みを防ぐように作用する。
【００４４】
また、固定ビス６２Ａを緩めても、バネ座金６２Ｂが変形状態であれば、バネ座金６２Ｂはその弾性復帰力で固定突起４２Ａを連結部材５０の固定座面５０Ａに押圧付勢する。このため、レンズ保持枠４０の連結部材５０に対する倒れを防ぐことができる。また、前述した調整部６１が機能していない状態であっても、固定突起４２Ａと固定座面５０Ａとの摩擦によって、連結部材５０に対するレンズ保持枠４０の移動は規制される。この摩擦力以上の力を作用させると、レンズ保持枠４０は連結部材５０に対して移動する。その場合、レンズ保持枠４０が連結部材５０に対して移動可能な範囲は、固定突起４２Ａの装着孔４２Ｂ内において固定ビス６２Ａの移動が許容される範囲である。
【００４５】
なお、固定突起４２Ａと固定座面５０Ａとの間には、レンズ保持枠４０の円滑な移動を可能とするために、グリス等の潤滑剤が塗布されている。
また、固定ビス６２Ａの径方向における配設位置は、レンズ鏡筒１における背面側から締め込み操作可能に設定されている。すなわち、図１に示すように、レンズ鏡筒１の背面側の端部には、マウント環１Ｍが配設されており、さらにその内周には内部が容易に見えないようにカバー環１１が装着されている。このカバー環１１とレンズ保持枠４０とは、図１に示すようにレンズ保持枠４０が背面側に位置した状態において径方向において重合するが、カバー環１１の内周面とレンズ保持枠４０の外周面との間には円環状の隙間１Ａが形成されている。この隙間１Ａと固定ビス６２Ａの配設位置とは略対応しており、レンズ鏡筒１の背面側から隙間１Ａにドライバー等の調整工具を挿入して固定ビス６２Ａを回転操作することができるようになっている。これにより、レンズ鏡筒１におけるレンズ組立工程の最終段階で光軸調整作業（および固定作業）を行うことができ、作業工程を削減できる。
【００４６】
上記のように構成された調整固定機構６０によれば、下記のようにしてレンズ保持枠４０（第４レンズ群）を光軸ＯＡと直交する方向に移動操作して光軸調整を行うことができ、また、連結部材５０に強固に固定することができる。
光軸調整は、調整部６１における調整ネジ６１Ａを螺進調整することで、レンズ保持枠４０を光軸ＯＡと直交するＸ−Ｙ平面内で移動させて、レンズ保持枠４０が保持する第４レンズ群Ｌ４の光軸を、レンズ鏡筒１の光軸ＯＡに一致させる。
【００４７】
この光軸調整の際には、調整部６１における固定ネジ６１Ｂは、レンズ保持枠４０の移動を妨げないように連結部材５０の内周側に突出しない状態としておく。また、固定部６２における固定ビス６２Ａは、バネ座金６２Ｂが変形状態の範囲で緩めておく。これにより、固定部６２がレンズ保持枠４０の連結部材５０に対する倒れやガタ付きを防いで、精度の高い光軸調を行うことができる。
【００４８】
光軸調整が終了した後、調整部６１における固定ネジ６１Ｂを締め込んで、レンズ保持枠４０を連結部材５０に光軸ＯＡと直交する方向において固定する。ついで、固定部６２における固定ビス６２Ａを締め込んで、レンズ保持枠４０を連結部材５０に光軸ＯＡと平行する方向において固定する。つまり、光軸ＯＡと直交する方向および光軸ＯＡと平行する方向の両方向において、レンズ保持枠４０を連結部材５０に固定する。これにより、レンズ保持枠４０を連結部材５０に強固に固定することができ、レンズ鏡筒１の落下や振動衝撃の作用に起因する精度劣化を抑制することができる。
【００４９】
ここで、光軸調整および固定はレンズ保持枠４０におけるレンズ室保持枠４２に対して行われる。このため、光軸調整後にレンズ室４１をレンズ室保持枠４２に対して着脱しても、光軸調整結果は維持される。従って、光軸調整が終了した後に、たとえば第４レンズ群Ｌ４にゴミの付着等の不具合が発見された場合等において、レンズ室４１をレンズ室保持枠４２からネジを緩めて外し、清掃した後再度装着しても光軸調整精度は保たれる。これにより、再度の光軸調整が不要となり、組み立て作業を極めて合理的に行うことができる。
【００５０】
以上、本実施形態によると、以下の効果を有する。
（１）連結部材５０の内周側に配設されたレンズ保持枠４０を、押圧スプリング６１Ｓの付勢力に抗して光軸ＯＡと直交する方向に移動操作すると共に位置決めする調整ネジ６１Ａと、レンズ保持枠４０を調整ネジ６１Ａに押圧して固定する固定ネジ６１Ｂとを備える調整部６１と、レンズ保持枠４０を連結部材５０に光軸ＯＡと平行な固定ビス６２Ａで固定する固定部６２とを備える。これにより、光軸調整後、調整部６１における固定ネジ６１によってレンズ保持枠４０を連結部材５０に光軸ＯＡと直交する方向において固定し、固定部６２における固定ビス６２Ａによってレンズ保持枠４０を連結部材５０に光軸ＯＡと平行する方向において固定することができる。このため、レンズ鏡筒１の落下や振動衝撃の作用によっても移動しないように、レンズ保持枠４０を連結部材５０に強固に固定することができ、精度劣化を抑制することができる。
また、固定部６２における固定ネジ６１Ｂとレンズ保持枠４０との間に介装されたバネ座金６２Ｂが、その弾性復帰力で光軸調整時においてレンズ保持枠４０を連結部材５０に押圧付勢する。このため、レンズ保持枠４０の連結部材５０に対する倒れを抑えることができ、精度の高い光軸調整が可能となる。
【００５１】
（２）固定部６２における固定ビス６２Ａの頭部と、レンズ保持枠４０における固定突起４２Ａとの間には、バネ座金６２Ｂが介装され、さらに、バネ座金６２Ｂと固定突起４２Ａとの間に平座金６２Ｃが配置されている。このため、平座金６２Ｃによって、バネ座金６２Ｂが直接固定突起４２Ａに当接することによる固定ビス６２Ａの締め込み時における動きづらさを解消すると共に摩耗粉等の発生を防ぐことができる。
【００５２】
（３）調整部６１における２本の調整ネジ６１Ａｘ，６１Ａｙは、９０°間隔で配設されている。このため、それぞれを適宜調整することで、レンズ保持枠４０を光軸ＯＡと直交する面内において任意の位置に容易に移動させることができ、極めて作業性が良い。
【００５３】
（４）調整部６１における２組の押圧スプリング６１Ｓｘ，６１Ｓｙは、それぞれレンズ保持枠４０を調整ネジ６１Ａｘ，６１Ａｙに向けて押圧付勢するようになっている。このため、押圧スプリング６１Ｓは効率の良くレンズ保持枠４０を調整ネジ６１Ａに押圧付勢することができ、また、調整ネジ６１Ａによってレンズ保持枠４０が押圧された際に円滑な変位が可能である。
【００５４】
（５）固定部６２における３本の固定ネジ６１Ｂが、調整部６１における調整ネジ６１Ａおよび固定ネジ６１Ｂの間にそれぞれ配設されることで、レンズ保持枠４０を連結部材５０に安定して固定することができる。
【００５５】
（６）固定部６２は、固定ビス６２Ａを連結部材５０における固定メネジ５０Ｂに締め込んで、固定突起４２Ａを連結部材５０の固定座面５０Ａに密着させることで、レンズ保持枠４０を連結部材５０に固定する。また、固定ビス６２Ａをバネ座金６２Ｂが変形状態の範囲で緩めれば、レンズ保持枠４０は、バネ座金６２Ｂの押圧付勢力によって倒れが防がれた状態で連結部材５０に対して移動可能となる。これにより、連結部材５０に対してレンズ保持枠４０を移動させる光軸調整を、円滑かつ高精度に行うことができる。
【００５６】
（７）レンズ鏡筒１の背面側の端部における、カバー環１１の内周面とレンズ保持枠４０の外周面との間に、ドライバー等の調整工具を挿入して固定部６２における固定ビス６２Ａを回転操作することができるは円環状の隙間１Ａが形成されている。これにより、レンズ鏡筒１におけるレンズ組立工程の最終段階で光軸調整作業（および固定作業）を行うことができ、作業工程を削減できる。
【００５７】
（８）レンズ保持枠４０は、調整固定機構６０によって連結部材５０に対して位置調整および固定されるレンズ室保持枠４２に対して、第４レンズ群Ｌ４を保持するレンズ室４１が、ネジによって着脱可能に構成されている。これにより、一旦光軸調整が終了した後に、第４レンズ群Ｌ４にゴミの付着等の不具合が発見された場合等において、レンズ室４１をレンズ室保持枠４２からネジを緩めて外し、清掃した後再度装着しても光軸調整精度は保たれる。このため、再度光軸調整を行う必要がなく、作業を極めて合理的に行うことができる。
【００５８】
（変形形態）
以上、説明した実施形態に限定されることなく、以下に示すような種々の変形や変更が可能であり、それらも本発明の範囲内である。
（１）本実施形態は、調整部６１における固定ネジ６１Ｂを１本とした例である。しかし、これに限らず、固定ネジ６１Ｂは２本以上の複数としても良い。
（２）また、本実施形態では、固定部６２における固定ビス６２Ａは３本である。しかし、これに限らず、固定ビス６２Ａは４本以上としても良い。
（３）本実施形態における固定部６２では、バネ座金６２Ｂがレンズ保持枠４０を連結部材５０に押圧付勢するように構成されている。しかし、押圧付勢する部材はバネ座金に限らず、他の構成のバネ部材を用いても良い。
（４）上記実施形態は、第４レンズ群Ｌ４を保持するレンズ保持枠４０に対して光軸調整を行う構成例であるが、本光軸調整構成を他のレンズ群に適用しても良いことは、勿論である。
（５）調整される光学系は、最も像側の光学系であることが好ましいが、これに限定されず、他の光学系であってもよい。また、調整される光学系は、１枚のレンズであってもよいし、レンズ群であってもよい。
（６）本実施形態では、光学機器としてレンズ鏡筒について説明したが、本発明はこれに限定されず、例えば、スチルカメラ、ビデオカメラ、レンズ鏡筒、携帯電話、望遠鏡などであってもよい。
なお、実施形態及び変形形態は、適宜組み合わせて用いることもできるが、詳細な説明は省略する。また、本発明は以上説明した実施形態によって限定されることはない。
【符号の説明】
【００５９】
１：レンズ鏡筒、１Ａ：隙間、４０：レンズ保持枠４０、４１：レンズ室枠、４２：レンズ室保持枠、５０：連結部材、６１Ａ：調整ネジ、６１Ｂ：固定ネジ、６１Ｓ：押圧スプリング、６２Ａ：固定ビス、６２Ｂ：バネ座金、６２Ｃ：平座金、Ｌ４：第４レンズ群、ＯＡ：光軸
【図１】
2011022461.tif 000003
【図２】
2011022461.tif 000004
【図３】
2011022461.tif 000005
【図４】
2011022461.tif 000006
【図５】
2011022461.tif 000007
【図６】
2011022461.tif 000008